(57)【要約】 【課題】パーテーションを直角に配置することが容易で、長期間に亘り安定設置可能なパーテーションを提供する。【解決手段】  パーテーション本体1と前記パーテーション本体両側に設けた2本の脚2とからなり、前記脚はパーテーション設置面と平行で前記パーテーション本体の前後に延びる水平脚21とパーテーション本体後ろ側に設けられ前記水平脚より上方に起立したパーテーション本体保持部22とからなり、一方の脚の前記水平脚上部に上側凹部23を、他方の脚の前記水平脚下部に下側凹部24を設けた。【選択図】図1
0003152009.tif 000002
【実用新案登録請求の範囲】
【請求項１】
パーテーション本体と前記パーテーション本体下部両側に設けた2本の脚とからなり、前記脚はパーテーション設置面と平行で前記パーテーション本体の前後に延びる水平脚と、パーテーション本体後ろ側に設けられ前記水平脚より上方に起立した保持部とからなり、一方の脚の前記水平脚上部に上側凹部を、他方の脚の前記水平脚下部に下側凹部を設けたことを特徴とするパーテーション。    
【請求項２】
前記一方の脚の上側凹部及び前記他方の脚の下側凹部は、前記ついたて本体の下端部近傍に設けたことを特徴とする請求項1又に記載のパーテーション。              
【考案の詳細な説明】
【技術分野】
【０００１】
本考案は、屋内や屋外で用いられるガーデニング用パーテーションまたは、空間を区分するパーテーションに関するものであり、特に、ラティスを用いたパーテーション構造に関する。
【背景技術】
【０００２】
従来から家庭やオフィスで植木鉢や小物を吊るしたりできるガーデニング用ラティスパーテーションや、空間を区分できるラティスパーテーションが知られている。
それらは鉛直方向に立設されるラティスとラティス本体の前後に延びる水平脚とから構成されていて、脚はラティス下部にネジなどによって着脱自在に固定されている。
【０００３】
また、別のタイプのラティスパーテーションにおいては、脚が支持部材と取付具とからなり、支持部材は、鉛直方向に立設されたラティスに当接させるための鉛直方向に延びる平板状の当接部と、当接部の上端から斜め下方に延び、下端に接地部分を有する本体部と、当接部の下端と本体部のラティス側の面（地面に対向する側の面）の略中央の間に配設される補強用の筋交部とから構成されている。
【０００４】
【特許文献１】特開２００３−９６７３号公報
【考案の開示】
【考案が解決しようとする課題】
【０００５】
前述したラティスのパーテーションでは設置空間に複数のラティスのパーテーションを配置することがある。直線状にラティスのパーテーションを配置する場合には問題とならないが、ラティスのパーテーションをラティス本体が直角となるように設置したい場合、一方のラティス脚と、他方のラティスの脚とがお互いに干渉し、きれいな直角のパーテーション群とすることが出来なかった。
【０００６】
また、一方のラティスの脚を取り外したり、水平脚が前側だけに延びる脚を用いれば、きれいな直角のパーテーションとすることも可能であるが、その場合にはパーテーションの土台となる脚が不安定となってしまい、使用に適さなくなってしまう。
【０００７】
本考案は、上記の事情に鑑みてなされたもので、複数のラティスパーテーションを直角に配置することが容易で、長期間に亘り安定設置可能なパーテーションを提供することを目的とする。
【課題を解決するための手段】
【０００８】
前記課題を解決するため請求項1記載の考案にあっては、パーテーション本体と前記パーテーション本体下部両側に設けた2本の脚とからなり、前記脚はパーテーション設置面と平行で前記パーテーション本体の前後に延びる水平脚と、パーテーション本体後ろ側に設けられ前記水平脚より上方に起立した保持部とからなり、一方の脚の前記水平脚上部に上側凹部を、他方の脚の前記水平脚下部に下側凹部を設けたことを特徴とするものである。
【０００９】
また、請求項２記載の考案にあっては、前記一方の脚の上側凹部及び前記他方の脚の下側凹部は、前記ついたて本体の下端部近傍に設けたことを特徴とするものである。
【考案の効果】
【００１０】
請求項1および2に記載の考案によれば、複数のラティスパーテーションを直角に配置することが容易で、長期間に亘り安定設置可能なラティスのパーテーションを提供することができる。
【００１１】
請求項３に記載の考案によれば、より強固にラティス群を形成することができる。
【００１２】
【考案を実施するための最良の形態】
【００１３】
以下、本考案の一実施形態を図に従って説明する。図1は本考案のラティスパーテーションの全体図であり、図2は本考案の第一の実施形態のラティス（組み合わせ前）とその一部拡大図を示し、図3は本考案の第一の実施形態のラティス（組み合わせ後）とその一部拡大図を示し、図4は一方の脚の側面図を示し、図5は他方の脚の側面図を示し、図6は本考案の第二の実施形態の伸縮ラティスの全体図である。
【００１４】
（第一の実施形態）
図1及び図2に示すように、本考案のパーテーションはパーテーション本体1と脚2よりなっており、そのパーテーション本体はラティス3と外枠とからなっている。ラティスは木製の薄板状長尺部材を格子状に配置したラティス格子であり、薄板状部材の木片の厚みは2ミリから10ミリ程度、幅は10ミリから50ミリ程度でＸ字格子状に固定されている。そのラティス格子の外周には矩形の外枠が設けてある。外枠には内側に5ミリから30ミリ程度の溝が設けてありその溝に、ラティス格子の周縁が収納される構成となっている。
【００１５】
ラティス格子には隙間空間が設けてあり、その空間に図示しないフックを吊るし、壁掛け鉢やポットハンガーなどの鉢類やアクセサリーを飾ることができる。
【００１６】
ラティスと外枠の材質は木製、木粉を混入した樹脂、樹脂またはセラミックから任意に選択することができる。また、木製の場合は防腐、棒カビ効果の有る合成樹脂製塗料（アルキド系）を塗布して用いる。
【００１７】
脚2は水平脚21と保持部22からなる、パーテーション本体左右両側に設けた一対の脚部材である。水平脚はパーテーション設置面（地面）と平行で、かつ、パーテーション本体の前後に延びる1本の直線状木製片からなるベース材からなっている
【００１８】
木製片は幅Ａが10ミリから100ミリ程度、長さが150ミリからの700ミリ程度の寸法とすることができる。脚の木製片は幅と長さが大きい方がパーテーションの安定感を増すことができるが、逆に大きすぎると使用時に邪魔になるため上記の寸法から使用シーンに適した寸法を任意に選び設計することができる。
【００１９】
水平脚のパーテーション本体後側には、水平脚より上方に起立した保持部22がパーテーション本体又は、パーテーションの枠に当接する状態で設けられている。保持部は水平脚の上面より、およそ20度から45度程度の角度で起立した木片であり脚とパーテーションを斜めに繋いでいる。
【００２０】
そして水平脚には図4、図5に示すように凹部が設けてある。パーテーションの一方の水平脚には上側凹部23が、他方の水平脚には下側凹部24が設けてある。両方の凹部はそれぞれパーテーション本体の下端部近傍前側に設けられている。
【００２１】
一方の脚の上側凹部は水平脚のパーテーション本体の下端部よりも前側でパーテーション本体下端部近傍に設けられている。凹部はパーテーションと平行に設けられた溝で、凹部の幅は脚の幅と同じ寸法Ａであり、凹部の深さは0.5Ａとなるように設定する。
【００２２】
他方の脚の下側凹部も水平脚のパーテーション本体の下端部よりも前側でパーテーション本体下端部近傍に設けられている。凹部は前後方向と直交するパーテーションと平行に設けられた溝で、凹部の幅は脚の幅と同じ寸法Ａであり、凹部の深さは0.5Ａとなるように設定する。ラティスの脚の材質も木製の他、木粉を混入した樹脂、樹脂またはセラミックの中から任意に選択することができる。
【００２３】
このように構成されたラティスパーテーション2台を直角に設置する場合、1台目の一方の脚に設けられた上側凹部に、2台目パーテーションの他方の脚に設けられた下側凹部がそれぞれ嵌合するように重ね合わせてラティス群を形成する。（図2、図3）
【００２４】
そして、組み合わせ後は直角に安定したラティス群を作ることができる。組み合わせの解除も凹部間の嵌合を解くだけで容易にできる。
【００２５】
また、本考案のパーテーションを４台、6台並べ平面視 （上方から見下げた状態）がきれいに揃った正方形や長方形のラティス群を形成することも可能である。
【００２６】
なお、本実施の形態では、保持部22は上側凹部23、下側凹部24の反対側（後側）のみに設けてあるが、一方の脚と他方の脚を組み合わせたときに、干渉しない高さと角度に設定することで前側に当接部を設けることも可能である。その場合、一方の脚に設ける当接部と、他方の脚に設ける高さや角度は、それぞれ相違させることが望ましい。
また、上記の構成を利用した場合、上側凹部23と下側凹部24はパーテーション本体の前側のみならず、後側にも形成することが可能である。
【００２７】
（第二の実施形態）
図6は第二の実施形態を示している。本例では左右の支柱4に脚2と伸縮ラティス30が結合されており、支柱を左右に移動させることでラティスの幅を伸縮することができるパーテーションである。支柱に連結されたラティスは伸縮できるように格子間をリベットや釘で移動可能なように軸止してある。それによって格子間の形状を換えながら様々な幅のラティスパーテーションとすることができる。本例でも前記実施形態の記載と同様にそれぞれの脚の水平脚に上側凹部23、下側凹部24を形成してあり、2台の伸縮ラティスパーテーションを直角に結合することができる。なお、第一の実施形態と同様な部分は同一の符号を付し、その説明は省略する。
【００２８】
本実施形態でも、簡単な構成で複数のラティスパーテーションを直角に配置でき、長期間に亘り安定載置が可能となった。
【図面の簡単な説明】
【００２９】
【図１】は本考案のラティスパーテーションの全体図である。
【図２】は本考案の第一の実施形態のラティス（組み合わせ前）とその一部拡大図である。
【図３】は本考案の第一の実施形態のラティス（組み合わせ後）とその一部拡大図である。
【図４】は本考案の一方脚の側面である。
【図５】は本考案の他方脚の側面である。
【図６】は本考案の第二の実施形態の伸縮ラティスの全体図である。
【符号の説明】
【００３０】
1  パーテーション本体
10  伸縮パーテーション
2  脚
21  水平脚
22  保持部
23  上側凹部
24  下側凹部
3  ラティス
30  伸縮ラティス
4  支柱
41  長穴              
【図１】
0003152009.tif 000003
【図２】
0003152009.tif 000004
【図３】
0003152009.tif 000005
【図４】
0003152009.tif 000006
【図５】
0003152009.tif 000007
【図６】
0003152009.tif 000008
【手続補正書】
【提出日】平成21年5月2日(2009.5.2)
【手続補正１】
【補正対象書類名】実用新案登録請求の範囲
【補正対象項目名】全文
【補正方法】変更
【補正の内容】
【実用新案登録請求の範囲】
【請求項１】
パーテーション本体と前記パーテーション本体下部両側に設けた2本の脚とからなり、前記脚はパーテーション設置面と平行で前記パーテーション本体の前後に延びる水平脚と、パーテーション本体後ろ側に設けられ前記水平脚より上方に起立した保持部とからなり、一方の脚の前記水平脚上部に上側凹部を、他方の脚の前記水平脚下部に下側凹部を設けたことを特徴とするパーテーション。
【請求項２】
前記一方の脚の上側凹部及び前記他方の脚の下側凹部は、前記ついたて本体の下端部近傍に設けたことを特徴とする請求項1に記載のパーテーション。